(57)【要約】【課題】複数接合して誰でも容易に間仕切ないし仮設住居を構築できること。【解決手段】平板体１は、複数接合して間仕切ないし仮設住居を構築する略長方形状の所定厚みＴの平板体であって、底辺Ｔから同じ高さの左右の辺（右辺Ｒ，左辺Ｌ）上の一方に前記厚みＴを一辺の長さとする立方体形の凸部２を、他方に当該立方体形分を切り欠いた凹部３を設け、さらに、左右の辺から所定間隔隔てた平板内側の位置であって底辺Ｔからみて凸部２および凹部３と同じ高さの位置に、凸部２と勘合する形状の孔部７をそれぞれ設けた。【選択図】図１
2005133508.tif 000002
【特許請求の範囲】
【請求項１】
複数接合して間仕切ないし仮設住居を構築する略長方形状の所定厚みの平板体であって、
底辺から同じ高さの左右の辺上の一方に前記厚みを突出幅とする直方体形の凸部を、他方に当該直方体形分を切り欠いた凹部を設け、
さらに、左右の辺から所定間隔隔てた平板内側の位置であって底辺からみて凸部および凹部と同じ高さの位置に、凸部と勘合する形状の孔部をそれぞれ設けたことを特徴とする平板体。
【請求項２】
凸部、凹部および孔部の一列の組を、底辺と上辺からそれぞれ同じ距離隔てた位置に二組設けたことを特徴とする請求項１に記載の平板体。
【請求項３】
底辺上および／または上辺上であって当該辺の左右の端部からみて内側の所定位置に、平板体の接合を補強するための補強具を差し込み可能な切り込みを入れたことを特徴とする請求項１または２に記載の平板体。
【請求項４】
左右の辺からの前記所定間隔が同一であることを特徴とする請求項１、２または３の平板体。
【請求項５】
左右の辺を起点として前記厚みの長さの２倍の距離の位置から３倍の距離の位置にわたって前記孔部を設けたことを特徴とする請求項４に記載の平板体。
【請求項６】
前記切り込みを、前記厚みの長さを一辺とした立方体を１単位として、底辺上の両端部から５単位分および／または底辺上の両端部から５単位分のうち、真中の１単位分を残存させ残りを切り欠いて設けたことを特徴とする請求項５に記載の平板体。
【請求項７】
素材を段ボールとしたことを特徴とする請求項１〜６のいずれか一つに記載の平板体。
【請求項８】
請求項１〜７のいずれか一つに記載の平板体を用いて卍形に接合させたことを特徴とする災害時の仮設住居。
【発明の詳細な説明】
【技術分野】
【０００１】
本発明は、平板体および仮設住居に関し、特に、同一形状であって簡便に構造物を作ることが可能な組立式の平板体およびこの平板体により作られる仮設住居に関する。
【背景技術】
【０００２】
従来、地震や火山噴火などの災害時に住民が集会場や体育館に避難する場合、その居住性が悪いという問題点があった。しかも、避難が必要な災害は、復旧または復興までに長期間を要することがあり、居住性の悪さが避難者に与えるストレスは非常に大きなものとなる。特に、プライバシーの確保は重要であり、例えば、特開平９−２２８６６７「避難所の間仕切りセット及び固定金具」には、被災者のプライバシーを保護する間仕切に関する技術が開示されている。
【０００３】
この間仕切は、床パネルと、床パネルを囲って立設させる間仕切パネルと、これらを固定する金具などからなり、被災時の搬送および組立を容易化し長期間の保管も可能としている。したがって、このような間仕切により避難者のストレスを軽減させることが可能となっていた。
【０００４】
【特許文献１】特開平９−２２８６６７号公報
【発明の開示】
【発明が解決しようとする課題】
【０００５】
しかしながら、従来の技術では以下の問題点があった。
すなわち、特開平９−２２８６６７「避難所の間仕切りセット及び固定金具」を含め、従来の間仕切は、部品点数が多く、誰でも容易に組み立てられるものではないという問題点があった。
【０００６】
また、従来の間仕切は、一部屋ずつ独立した構造であるので、避難場所で効率的な居住区が設営できないという問題点があった。
【０００７】
本発明は上記に鑑みてなされたものであって、複数接合して誰でも容易に間仕切ないし仮設住居を構築できることを目的とする。
【０００８】
また、プライバシーの確保を保ちつつ、効率的な居住区を設営可能とすることを目的とする。
【課題を解決するための手段】
【０００９】
上記の目的を達成するために、請求項１に記載の平板体は、複数接合して間仕切ないし仮設住居を構築する略長方形状の所定厚みの平板体であって、底辺から同じ高さの左右の辺上の一方に前記厚みを突出幅とする直方体形の凸部を、他方に当該直方体形分を切り欠いた凹部を設け、さらに、左右の辺から所定間隔隔てた平板内側の位置であって底辺からみて凸部および凹部と同じ高さの位置に、凸部と勘合する形状の孔部をそれぞれ設けたことを特徴とする。
【００１０】
すなわち、請求項１にかかる発明は、形状が同一の平板体のみを用いて、その底辺および上辺をそろえて一方向に延伸させることもでき、また、９０度に差し込みあわせることもできる。換言すれば、形状が同一の平板体のみで広さを調節可能な壁体または自立可能な壁体を形成可能となる。
【００１１】
なお、略長方形状とは、長方形の辺上または角部に多少の凸部または凹部が設けられたとしても全体的には長方形が概念できる形状をいう。換言すれば、略長方形状とは、凹凸があっても基本的には底辺とこれに対する上部の辺（上辺）と、左右の辺が概念できる形状を意味する。なお、底辺とは、平板体を立設させた場合の下の辺をいう。したがって、６面図による表現方法によれば、底辺は底面に、左右の辺はそれぞれ左側面、右側面に、上辺は平面（上面）に該当するが、本願では説明の便宜上、底辺、左右の辺、上辺と表現するものとする。
【００１２】
また、所定間隔とは同じとは限らず、左の辺からの所定距離と、右の辺からの所定距離を意味し、この所定距離がそれぞれ異なっていてもよいものとする。凸部と穴部の高ささえ揃っていれば、平板体同士を段差なく９０度に差し込めるためである。なお、間仕切ないし仮設住居には様々な構造物が含まれ、例えば、簡易ステージも含まれるものとする。
【００１３】
また、請求項２に記載の平板体は、請求項１に記載の平板体において、凸部、凹部および孔部の一列の組を、底辺と上辺からそれぞれ同じ距離隔てた位置に二組設けたことを特徴とする。
【００１４】
すなわち、請求項２にかかる発明は、底辺と上辺の中間で線対称となり、平板体の上下に関係ない差し込みを可能とし、設営の作業性を向上させる。また、二カ所で接合するので、接合が堅強となる。
【００１５】
また、請求項３に記載の平板体は、請求項１または２に記載の平板体において、底辺上および／または上辺上であって当該辺の左右の端部からみて内側の所定位置に、平板体の接合を補強するための補強具を差し込み可能な切り込みを入れたことを特徴とする。
【００１６】
すなわち、請求項３にかかる発明は、補強具をあてがい接合端部を補強する。なお、後述するように、切り込み深さを平板体の厚み分とすることにより、底辺や上辺に段差なく補強が可能となる。
【００１７】
また、請求項４に記載の平板体は、請求項１、２または３の平板体において、左右の辺からの前記所定間隔が同一であることを特徴とする。
【００１８】
すなわち請求項４にかかる発明は、孔部の機械加工制御が容易となる結果、製品単価を下げることが可能となる。
【００１９】
また、請求項５に記載の平板体は、請求項４に記載の平板体において、左右の辺を起点として前記厚みの長さの２倍の距離の位置から３倍の距離の位置にわたって前記孔部を設けたことを特徴とする。
【００２０】
すなわち、請求項５にかかる発明は、凹部と孔部との間に平板体の厚み分の幅の充填部を残して強度を確保しつつ、平板体の広さを有効利用する。換言すれば、強度を確保しつつ、嵌合部となる孔部を端によせ、作出される壁の広さを大きくする。
【００２１】
また、請求項６に記載の平板体は、請求項５に記載の平板体において、前記切り込みを、前記厚みの長さを一辺とした立方体を１単位として、底辺上の両端部から５単位分および／または底辺上の両端部から５単位分のうち、真中の１単位分を残存させ残りを切り欠いて設けたことを特徴とする。
【００２２】
すなわち、請求項６にかかる発明は、端部から立方体形の２マス分を切り欠かき、１マス残してさらに底辺上および／または上辺上の２マス分を切り欠くため、平板体を一方向に延伸させる場合であっても、９０度に差し込みあわせる場合であっても、さらには、十字状に４つの平板体を継ぎ合わせる場合であっても、平板体と同じ素材による補強具による強固な接合が可能となる。より具体的には、平板体と同じ厚みの補強具を、上辺および／または底辺の２つまたは４つの凸を囲う形状とすることができる。
【００２３】
換言すれば、補強具に凸に勘合する孔を設けて、この孔を介して「複数の凸を取り囲むようにして補強具を差し込める」ため、負荷が分散され堅強な接合が可能となる。特に、本構成によれば、９０度に差し込みあわせる場合に、差し込み側の延長線上に差し込まれ側の凸が位置し（すなわち、両平板体の凸が同じ線上に並び）、かつ、凸の両側が切り欠かれているので、補強具の外周を四角形ないし長方形のまま用いることができる。したがって、平板体も補強具も同一素材を用いて加工でき、材料が無駄にならず、かつ、平板体も補強具も加工数を最小限とすることが可能となる。加えて、切り欠きの深さが平板体の厚み分なので、補強具を差し込んでも段差が生じず、製品寿命を伸ばすことも可能となる。
【００２４】
また、請求項７に記載の平板体は、請求項１〜６のいずれか一つに記載の平板体において、素材を段ボールとしたことを特徴とする。
【００２５】
すなわち、請求項７にかかる発明は、加工が容易で軽量安価な平板体を提供できる。軽量であるので、容易な組立を可能とする。また、段ボールであるので、リサイクルが可能であり、環境負荷が少ない。
【００２６】
また、請求項８に記載の災害時の仮設住居は、請求項１〜７のいずれか一つに記載の平板体を用いて卍形に接合させたことを特徴とする。
【００２７】
すなわち、請求項８にかかる発明は、壁を共用して１ユニット４部屋の仮設住居を構築できる。
【発明の効果】
【００２８】
以上説明したように、本発明の平板体（請求項１）は、形状が同一の平板体のみを用いて、その底辺および上辺をそろえて一方向に延伸させることもでき、また、９０度に差し込みあわせることもできる。換言すれば、形状が同一の平板体のみで広さを調節可能な壁体または自立可能な壁体を形成可能となる。これにより、誰でも容易に間仕切ないし仮設住居を構築できる。
【００２９】
また、部品点数を実質的に平板体のみの１点とすることができ、欠品が発生し得ず、不良品があっても、他の平板体を用いて代用が可能となる。また、部品点数が平板体のみの１点であるので製造コストを低減させることができる。また、加工に関しても、左右の一辺を加工すれば、隣の平板体の他の一辺が加工されることとなり、加工数が少なく、製造コストを低減させることもできる。
【００３０】
また、副次的に、必要時に簡便な出荷管理が可能となる。また、凸部は、左右のいずれかの辺から凸設された格好となるが、この飛び出た厚みを平板体の厚みとすることで、９０度に差し込んだ場合でも面が揃い、不要な段差ができないため、平板体の寿命も向上する。
【００３１】
また、本発明の平板体（請求項２）は、請求項１に記載の平板体において、底辺と上辺の中間で線対称となり、平板体の上下に関係ない差し込みを可能とし、設営の作業性を向上させる。また、二カ所で接合するので、接合が堅強となる。これにより、上下を意識せず、さらに容易な接合作業を可能とする。
【００３２】
また、本発明の平板体（請求項３）は、請求項１または２に記載の平板体において、補強具をあてがい接合端部を補強する。これにより、間仕切ないし仮設住居の強度を向上させることが可能となる。
【００３３】
また、本発明の平板体（請求項４）は、請求項１、２または３の平板体において、孔部の機械加工制御が容易となり、これにより、製品単価をさらに下げることが可能となる。
【００３４】
また、本発明の平板体（請求項５）は、請求項４に記載の平板体において、凹部と孔部との間に平板体の厚み分の幅の充填部を残して強度を確保しつつ、平板体の広さを有効利用できる。換言すれば、強度を確保しつつ、嵌合部となる孔部を端によせ、作出される壁の広さを大きくすることができる。
【００３５】
また、本発明の平板体（請求項６）は、請求項５に記載の平板体において、端部から立方体形の２マス分を切り欠かき、１マス残してさらに底辺上および／または上辺上の２マス分を切り欠くため、平板体を一方向に延伸させる場合であっても、９０度に差し込みあわせる場合であっても、さらには、十字状に４つの平板体を継ぎ合わせる場合であっても、平板体と同じ素材による補強具による強固な接合が可能となる。
【００３６】
また、本発明の平板体（請求項７）は、請求項１〜６のいずれか一つに記載の平板体において、加工が容易で軽量安価な平板体を提供できる。軽量であるので、容易な組立を可能とする。また、段ボールであるので、リサイクルが可能であり、環境負荷を少なくすることが可能となる。
【００３７】
また、本発明の仮設住居（請求項８）は、請求項１〜７のいずれか一つに記載の平板体を用いて卍形に接合させたので、壁を共用して１ユニット４部屋の仮設住居を構築でき、これにより、プライバシーの確保を保ちつつ、効率的な居住区を設営できる。
【発明を実施するための最良の形態】
【００３８】
以下、本発明の実施の形態を図面を参照しながら詳細に説明する。
図１は、本実施の形態の平板体の正面図である。図２は、本実施の形態の平板体の右側面図である。図３は、本実施の形態の平板体の左側面図である。図４は、本実施の形態の平板体の平面図である。なお、背面図は正面図と、底面図は平面図と同一であるので省略する。図５は、本実施の形態の平板体を用いて、卍形に接合した仮設住居の構成例を示した平面図である。ただし、端部を除いて表示の便宜上縮めて描画し、また、補強具は省略している。また、図６は、図５に示した仮設住居の中心部の接合の様子を示した斜視図である。図７は、図５に示した仮設住居の角部分の接合の様子を示した斜視図である。図８は、図５に示した仮設住居の延伸方向の接合の様子を示した斜視図である。なお、図６〜８では、全体を描画しきれないため、端については点線で描画した。
【００３９】
図示したように、平板体１は、総て同一であって、均一な厚みＴをもち、端部に凹凸および孔はあるものの、全体として横長の長方形状である。したがって、平板体１は正面からみた場合略長方形状ということもできる。端部の凹凸および孔は、平板体１を横方向に延伸して接合させるために設けてあり、また、平板体１同士を９０度に組んで接合させるために設けてある。
【００４０】
図１から明らかなように、凹凸および孔は、正方形のマス目が概念できるように設けてある。凹凸および孔の幅と奥行きは平板体１の厚みＴと等しくし、高さは厚みＴの三倍としているので、立体として把握する場合には、この凹凸および孔は、長さＴの立方体を３つ積み重ねた角柱を概念できるように設けているということもできる。
【００４１】
仮想的な長方形Ｃ（図１中に点線部分として示す。なお、説明の便宜上線が重ならないように若干大きく長方形Ｃを描画している。）を用いて平板体１を説明すると、平板体１は、長方形Ｃの左辺Ｌ上から飛び出すように凸部２を設け、長方形Ｃの右辺Ｒ上から凸部２に対応する位置を切り欠いて凹として凹部３を形成し、長方形Ｃの角を２マス分切り欠いて凹として凹部４を形成し、底辺Ｔおよび上辺Ｊ上で凹部４から一マス空けて再び２マス分切り欠いて凹として凹部５を形成し（凹部４と凹部５との間に形成される凸を補強具用凸６と称することとする）、凸部２と補強具用凸６（または凹部３と補強具用凸６）を長方形Ｃの辺に沿って平行移動させたときに重なり合う位置を孔として孔部７を形成した形状ということができる。
【００４２】
なお、凸部２に対応する位置の凹部３とは、凸部２と凹部３とが底辺Ｔからみて同じ高さにあることをいう。また、図示したように、平板体１の端部の凹凸および孔は、底辺Ｔと上辺Ｊの中間の線において線対称となるように構成されている。長方形Ｃの大きさに限定はないが、例えば、１５０ｃｍ×９０ｃｍ×３ｃｍ程度を挙げることができる。
【００４３】
平板体１が以上のように形成されているので、上下表裏を区別することなく高さをそろえて壁や角を作ることが可能となる。また、図６に示したように、十字接合用の補強具８、角用の補強具９、または、延伸接合用の補強具１０は、それぞれ、厚みをＴとして長方形Ｃからはみ出さず平板体１同士の接合を補強する。詳述すれば、補強具８，補強具９および補強具１０は、凹部４、凹部５、および、補強具用凸６に嵌合可能に形成でき、平板体１の上下の接合補強を可能とする。
【００４４】
したがって、平板体１を適宜接合し、図５に示した仮設住居を含み、間仕切、その他の構造物を容易に作出可能となる。
【００４５】
平板体１の素材は特に限定されないが、災害時の仮設住居用の平板体１の素材は段ボールが好適である。このような段ボールとしてはタケシンパッケージ株式会社製のハニカムダンボール」もしくは「ハニカムシート」を挙げることができる。この段ボールには、各種の厚みのシリーズがあるが、例えば、１５ｍｍ厚部材の耐荷重は３１．５ｔ／ｍ２、２０ｍｍ厚部材の耐荷重は３０．７ｔ／ｍ２、２５．４ｍｍ厚部材の耐荷重は２９．９ｔ／ｍ２、３０ｍｍ厚部材の耐荷重は２９．３ｔ／ｍ２、４５ｍｍ厚部材の耐荷重は２７．１ｔ／ｍ２、５０ｍｍ厚部材の耐荷重は２６．４ｔ／ｍ２、６０ｍｍ厚部材の耐荷重は２４．９ｔ／ｍ２、７０ｍｍ厚部材の耐荷重は２３．５ｔ／ｍ２であり、いずれも非常に堅強である。
【００４６】
このような段ボール地を用いることにより、軽量で設営負担が少なく、かつ、丈夫で長期の使用に耐えうる平板体１製造することが可能となる。また、このような平板体１は、相当量積み重ねることもでき、保管管理も容易となる。さらに、段ボール地であるので、リサイクルが可能で不要になったときの処分も容易であって環境負担が少ない。加えて、例えば、各自治体が導入する場合であっても、平板体１が同一形状であるので、傷んだものだけを追加購入すればよく、環境負担に加えて費用負担も低減可能となる。
【００４７】
なお、以上は一例であって、本発明はこれに限定されない。例えば、凸部２、凹部３および孔部７の組を３組設け、二つの平板体を３カ所で接合する態様であってもよい。また、凸部２，凹部３〜凹部５，孔部７をいずれも立方体形とし、また、孔部７を、凹部５と凸部２（または凹部３）を平行移動して重なる位置に設けてもよい。このように構成した平板体による図６と同様の接合例を斜視図を図９に示した。
【産業上の利用可能性】
【００４８】
本発明は、仮設ステージ、迷路、児童が作出するミニチュア家屋などに利用可能である。
【図面の簡単な説明】
【００４９】
【図１】本実施の形態の平板体の正面図である。
【図２】本実施の形態の平板体の右側面図である。
【図３】本実施の形態の平板体の左側面図である。
【図４】本実施の形態の平板体の平面図である。
【図５】本実施の形態の平板体を用いて、卍形に接合した仮設住居の構成例を示した平面図である。
【図６】図５に示した仮設住居の中心部の接合の様子を示した斜視図である。
【図７】図５に示した仮設住居の角部分の接合の様子を示した斜視図である。
【図８】図５に示した仮設住居の延伸方向の接合の様子を示した斜視図である。
【図９】本発明の他の構成例による仮設住居を図６と同様の位置から鳥瞰した斜視図である。
【符号の説明】
【００５０】
１                   平板体
２                   凸部
３                   凹部
４，５             凹部（上辺または底辺上）
６                   補強具用凸
７                   孔部
８，９，１０   補強具Ｃ          長方形
【図１】
2005133508.tif 000003
【図２】
2005133508.tif 000004
【図３】
2005133508.tif 000005
【図４】
2005133508.tif 000006
【図５】
2005133508.tif 000007
【図６】
2005133508.tif 000008
【図７】
2005133508.tif 000009
【図８】
2005133508.tif 000010
【図９】
2005133508.tif 000011